(57)【要約】【課題】無線を介した自動検針において、動作エラーが生じた場合のそのタイミング、発生場所、不良内容等の発生状況を確認可能として、問題点の早期解決と設置工事の効率化を図る無線検針装置を提供する。【解決手段】センター側装置に電話回線等の情報網を介して接続された端末網制御装置と当該端末網制御装置に有線接続された無線親機とを兼ねた端末網制御装置兼無線親機６０には一個以上の無線子機が無線通信可能であり、当該無線子機にはメータやセキュリティ機器等の端末機器が有線接続されている。端末網制御装置兼無線親機６０又は無線子機はそれらの動作状況を検出したデータを直列フォーマットにデータ変換するＵＡＲＴ回路部４８を備えており、変換後の検出データがＵＡＲＴ回路部４８を通じて外部機器に送信されて分析される。また、ＵＡＲＴ回路部４８を通じて制御信号を入力することで無線検針装置の動作エラーを再現可能である。【選択図】図６
2008148045.tif 000002
【特許請求の範囲】
【請求項１】
センター側装置に電話回線、携帯電話、ＰＨＳ等の情報網を介して接続された端末網制御装置と当該端末網制御装置に有線接続された無線親機とを兼ねる端末網制御装置兼無線親機、前記端末網制御装置兼無線親機と無線通信可能な一個以上の無線子機、及び当該無線子機に有線接続されたメータやセキュリティ機器等の端末機器によって構成された無線検針装置において、
前記端末網制御装置兼無線親機及び前記無線子機は、それらの動作状況を検出したデータを直列フォーマットにデータ変換するとともに、確認用に接続された外部機器に変換後の検出データを送信可能なＵＡＲＴ回路部を備えていることを特徴とする無線検針装置。
【請求項２】
前記ＵＡＲＴ回路部には前記端末網制御装置兼無線親機又は前記無線子機に不具合が発生した場合の前記動作状況の信号が送信され、前記外部機器は前記ＵＡＲＴ回路部を通じて受信した前記信号に基づいて前記動作状況を表示装置に表示するとともに、受信した信号をＵＡＲＴ回路部に送信することを特徴とする請求項１記載の無線検針装置。
【請求項３】
前記外部機器から前記端末網制御装置兼無線親機、前記無線子機、又は端末機器を制御する制御信号を前記ＵＡＲＴ回路部に送信して通信エラーを再現し、前記外部機器は、前記ＵＡＲＴ回路部から送信された前記通信エラーの発生場所、発生タイミング等の動作条件についての信号を受信することにより、前記通信エラーの発生状況を解析可能とすることを特徴とする請求項２記載の無線検針装置。
【請求項４】
前記ＵＡＲＴ回路部は非同期通信モデム（いわゆるＲＳ２３２Ｃ）のＴＴＬレベルで構成されており、前記非同期通信モデムへの電圧レベル変換は前記外部機器側の構成にて行うことを特徴とする請求項２又は３記載の無線検針装置。
【請求項５】
前記電圧レベル変換を行う変換部への接続は、電源、送信信号、受信信号、制御信号、グランドで構成されており、接続コネクタは極性付き７極ピン構成であり、接続線の長さは前記表示装置からのノイズの影響のない一定の長さに確保されていることを特徴とする請求項４記載の無線検針装置。
【請求項６】
前記ＵＡＲＴ回路部には、無線環境を確認するため、ログとして送信され且つ長期間にわたる送受信動作データを記憶可能なＵＳＢメモリー等の記憶手段が接続されることを特徴とする請求項１記載の無線検針装置。
【発明の詳細な説明】
【技術分野】
【０００１】
本発明は、電話回線を利用してセンター側装置と接続され、センター側装置との間でノーリンギング通信を行う端末網制御装置兼無線親機（以下、「兼用親機」と略称する）と、ＬＰガス、都市ガス、水道、電気等のメータと接続されている無線子機とを備え、自動検針することを目的とする無線検針装置に関する。
【背景技術】
【０００２】
従来の端末網制御装置が適用されたノーリンギング通信システムについて、本出願人は先に特許出願をしている（特願２００５−００９９８６）。ノーリンギング通信システムは、例えば図１１に示すように、センター側装置ではホスト装置１とセンター側網制御装置２とが電話回線１３を介して接続されており、需要家に設置された端末側装置では、端末網制御装置６にＬＰガスメータ７、都市ガスメータ８、水道メータ９、電力メータ１０、セキュリティ機器１１、接点機器５５等の端末機器と、宅内電話機１２とが接続されて構成されている。センター側網制御装置２と端末網制御装置６とは、センター側交換局３とノーリンギングトランク５を備えた端末側交換局４とを間に介在させて、電話回線１３を通じて電話回線網として接続されている。
【０００３】
このような構成において、センター側装置と端末側装置との間でノーリンギング通信によるデータ伝送が行われ、ホスト装置１からのＬＰガスメータ７等の自動検針や、端末発呼によるセキュリティ機器１１からの異常（例えばガス漏れ）等の通知が行われている。
【０００４】
ノーリンギング通信中においては、ノーリンギングトランク５によって宅内電話機１２のオフフック検知を行うことにより、端末網制御装置６は宅内電話機１２を電話回線１３から切り離すことなく通信を行うことが可能である。一方、端末発呼の場合は、通常、宅内電話機１２を電話回線１３から切り離し、宅内電話機１２のベルの共鳴りを防止していると同時に、宅内電話機１２のオフフック検知を実施している。
【０００５】
これら端末側装置は需要家、例えば一般家庭に設置されるものであるので、各家庭に端末側装置の設置工事を行う必要がある。この場合、例えば設置場所がマンション、集合住宅等の場合に、端末網制御装置６とメータ７等の端末機器間に配線を行う場合に、壁に穴をあける等の必要が生じる。
【０００６】
配線の代わりに無線電波でデータを送受信する方法を採用すれば、端末網制御装置とメータ間の配線工事については必要がなくなる。図５は端末網制御装置側の無線親機６０と端末機器側の無線子機１４との間で無線通信が適用されるシステム構成図であるが、図５中、無線通信が適用される従来のシステム構成として、無線親機６０の１台に対して、単数の無線子機１４、又は複数の無線子機（１）１４、無線子機（２）１５…及び無線子機（Ｎ）１６（以下、両方の場合を総称して「無線子機１４」と表記する）を接続させたものがある。無線親機６０及び無線子機１４は、工場出荷後、初期の設定動作において、お互いの暗証番号を確認することにより無線通信が可能になる。無線通信においては、設置場所の条件、周囲の電磁気的な環境によって無線送受信の機能が大きく変動する。
【０００７】
図１２は、従来の無線親機、子機間で、ガスメータの検針を行う通信シーケンスである。従来品は、通信動作時の状況表示信号が外部に送出されていないので、動作確認については、無線信号を無線受信機で受診し、その通信電文を音声として耳で確認するのみであった。また、電話回線の通信においても、電話回線の信号をオシロスコープで確認するか、音声アンプで音として確認するのみであった。なお、図１２において、通信動作時の状況表示はされないが、状況表示の関連としては、ＩＤ信号の不一致（無線ポートＩＤが適切でない値）、検針要求電文不一致（決められた電文以外の電文）、ポート選択不一致（ポート選択電文が適切でない）、検針データ応答なし（断線などで応答ない）、検針データ値不一致（数字以外の値などが検針データに入っている）などが対象となる。
【発明の開示】
【発明が解決しようとする課題】
【０００８】
しかしながら、設置工事において、設置場所によっては実際に使用する周波数が他からのノイズに起因して無線が送受信できなくなることがあり、この場合、どのような理由でどこのタイミングで動作不良となるのか判断ができないことがある。また、設置工事後、通信がエラーを起こす場合には、問題が無線通信部分、電話回線、センター側のいずれの部分で生じているのか区別がつき難く、また、そのエラーが、１度きりの現象であるのか、或いは何回も生じているのかという点を含めて、エラー発生の本質が掴み難いという問題がある。
【０００９】
そこで、無線を介した自動検針においては、無線での送信及び受信、電話回線の送信、受信で動作不良となっても、設置工事の効率化、問題点の解決、検針情報の確認、接点情報の確認を専用の治具を用いて無線側か電話回線側かを確認実施することを可能にし、配線、機能確認の短縮化にも寄与する点で解決すべき課題がある。
【００１０】
この発明の目的は、無線を介した自動検針において、動作エラーが生じた場合の、そのタイミング、無線側か電話回線側か等の発生場所、不良内容等の発生状況を確認可能として、問題点の早期解決と設置工事の効率化を図ることができる無線検針装置を提供することである。
【課題を解決するための手段】
【００１１】
上記課題を解決するため、本発明による無線検針装置は、センター側装置に電話回線、携帯電話、ＰＨＳ等の情報網を介して接続された端末網制御装置と当該端末網制御装置に有線接続された無線親機とを兼ねる端末網制御装置兼無線親機、前記端末網制御装置兼無線親機と無線通信可能な一個以上の無線子機、及び当該無線子機に有線接続されたメータやセキュリティ機器等の端末機器によって構成された無線検針装置において、前記端末網制御装置兼無線親機及び前記無線子機は、それらの動作状況を検出したデータを直列フォーマットにデータ変換するとともに、確認用に接続された外部機器に変換後の検出データを送信可能なＵＡＲＴ回路部を備えていることを特徴としている。
【００１２】
この無線検針装置によれば、端末網制御装置を兼ねる無線親機及び無線子機において、無線検針装置が動作エラーと判断したデータはＵＡＲＴ回路部から、確認用に接続された外部機器に送信され、外部機器において発生状況が分析可能となる。表示装置を備える場合には、動作エラーを不具合電文として表示させることができる。設置工事における通常の設置状態での通信で不具合の内容のみを確認するとともに、電話回線側の通信状況も確認される。更に、外部機器から問題を生じさせる制御電文を無線検針装置に送信することにより、エラー発生状況を再現させて、問題解決の効率アップに貢献することができる。また、一時的な問題か、長期的な問題かをモニターすることも可能になる。
【発明の効果】
【００１３】
本発明による無線検針装置は、現場設置時において、実際の運用時の問題点解決において、また、長期間の現場検証において不具合内容を分析できるというメリットがあり、問題点解決に効果的である。また、センター側の連携を取らなくても、電話回線の確認がすむというメリットもある。無線検針が不具合な場合、確認用に接続された外部機器から制御信号を送信することによって複数回に渡ってエラー動作を再現することができるので、エラー動作の内容のみならず、エラー動作が生じるタイミング、及び有線部分か無線部分かのエラー発生場所について通信動作の確認が簡単にできて、問題点をより早く絞り込むことができ、ひいては、設置工事の効率化、問題点の解決、検針情報の確認ができ、配線、機能確認の短縮化にも寄与することができる。
【発明を実施するための最良の形態】
【００１４】
以下、本発明による無線検針装置の実施の形態を図１乃至図９を参照して詳細に説明する。本発明による無線検針装置におけるシステム構成は、「従来の技術」の欄で説明した図１１における端末網制御装置と兼用の無線親機（以下、この兼用された無線親機を単に「無線親機」と称する）６０及び無線子機１４が適用されたシステム構成図と基本的に同様であるので、同等の構成要素には同じ符号を付すことにより、再度詳細な説明を省略する。
【００１５】
図６は、本発明による無線検針装置に用いられる無線親機６０のブロック図である。無線子機との間で行われる無線送受信については、無線制御回路部２０が電波の送信、受信、誤り制御等の処理を行い、無線モジュール部１９が電波の増幅、変調、復調、キャリアセンス等を行い、電波法に準拠した電波の送受信を制御して、アンテナ１８から無線子機１４〜１６に送受信する。ＲＳＳＩ（Ｒｅｃｅｉｖｅｄ  Ｓｉｇｎａｌ  Ｓｔｒｅｎｇｔｈ  Ｉｎｄｉｃａｔｏｒ；受信信号強度表示信号）回路部４７は、無線受信時に直流電圧を出力して無線強度を確認する部分である。これらはすべて、マイクロコンピュータ部２１における入力データ又は出力データとなる。表示回路部４０は、無線親機６０の状態を表すためにＬＥＤ３９を点灯させる。ＬＥＤ３９は、電源ランプ、遮断ランプ及び縁組ランプから成っている。縁組回路部４６は、無線子機１４〜１６との親子認識のための回路部である。無線親機６０の縁組スイッチと各無線子機の縁組スイッチを同時に押すことにより、縁組回路部４６の作動に基づいて、無線親機６０と無線子機とは無線信号にて互いを認識し、それ以降、無線が送受信可能となる。
【００１６】
これらの各部に対して、電源部の構成として、通常は、ＡＣアダプタ部３８から、電源回路部３６を通じて各部に電源が供給される。停電、若しくはＡＣアダプタ３８のコンセント抜け等の場合については、停電検知回路３７からの信号により、電池３５の電源スイッチ３４がＯＮして、ＤＣ／ＤＣ電源回路部３３を通じて各部に電源が供給される。電源オフ部４４は、ＡＣアダプタ部３８から各部に電源供給されているときは、電池３５の電流を流さないようにするためのものである。電池電圧検知部４５は、適度な負荷状態において、電池３５の電圧が適正か、否かの判断を行う。なお、無線親機６０の基礎データ内容（デフォルト値又は設定値）は、記憶部４１のＥＥＰＲＯＭに記憶されるので、停電で動作終了しても、内容は維持されている。
【００１７】
交換機側の電話回線は、回線用モジュラージャック２２に接続される。耐雷性能を上げるために、耐雷回路部２３が電話回線側に設けてある。オフフック検知部２４は、宅内電話機１２（図５）又は自分自身のオフフック検知のためのブロックである。オフフック検知部２４の回路により、宅内電話機１２と通信が衝突することがなく、また自分自身のオフフック動作の確認が可能である。
【００１８】
宅内電話機１２は宅内用モジュラージャック２６に接続されている。無線親機６０は、一般ユーザーが宅内電話機１２を使用していないことをオフフック検知部２４によって確認してから、センター側に電話をかけてセンターと通信を行う。もし、無線親機６０がセンターと通信中に一般ユーザーが宅内電話機１２を使用すると、宅内電話機話中検知部２７が働いて通信を切断し、一般ユーザーが宅内電話機１２を使用できるようにする。一般ユーザーによる宅内電話機１２の使用が終了したことをオフフック検知部２４が検知すると、無線親機６０は、再度、センターと通信を再開する。
【００１９】
極反検知部２５は、電話回線の緩リバース（電話回線の電圧変化が電話機のベルを鳴らさないように電圧の変化を時間的に少なくすること）を検知して、ＮＲＳ検知回路部３０と動作して、自分自身がホスト装置１により選択されたのか否かを判断するところである。ＮＲＳ検知回路部は、ノーリンギング受信信号検知回路部のことであり、電話回線のインピーダンスを限定された範囲に維持し、同時に交換局からの信号を受信する。また、極反検知部２５は電話回線のリンガー信号も検出し、信号の一部はプレリンガー信号検知回路部２８にも供給され、Ｌモード通信の宅内電話機１２にも対応が可能である。ループ回路部２９は、端末発呼時にオフフックするための回路であり、ダイアルパルスの為の回路でもある。
【００２０】
半ループ回路部３１は、ノーリンギング通信時のインピーダンスを保持するための部分である。モデム回路部３２は、ＤＴＭＦ信号でプッシュホンダイアル信号の発生を行い、また端末通信時、ノーリンギング通信時にＦＭ通信を行うモデムの部分である。セキュリティインターフェイス部４２は、無線親機６０の外部との機器のインターフェイス部である。ここには、ＪＩＳ７ビット形式の機器が接続される。
【００２１】
無線親機６０の保守発呼回路部５４の機能は、ホスト装置１に対して、登録された無線子機と定期的に通信を行う機能であり、過去に正常応答を経験したが、新たな通信時に無応答となった場合、発呼する機能を有する。ＲＳＳＩ回路部４７は、無線強度に応じた直流電圧を出力する。タイマー部５３は、無線親機６０の時刻情報を得るところである。並列フォーマットのデータを直列フォーマットにデータ変換するＵＡＲＴ（ユニバーサル非同期型レシーバートランスミッター）回路部４８は、外部機器との非同期通信のモデム用インターフェース（所謂ＲＳ２３２Ｃ）の一部である。リセット回路部４３は、設定値をデフォルトに戻すマイクロコンピュータ（以下、特にことわる以外、「マイコン」と略す）のリセットである。
【００２２】
図７は、本発明による、図５に示す無線子機１４のブロック図である。無線親機６０と重複する部分は説明を省略する。メータ・接点インターフェイス部４９は、５ビットメータ、又は接点機器５５の接続部である。本発明と従来の技術との違いは、ＵＡＲＴ回路部４８において、外部機器との非同期通信のモデム用インターフェース（いわゆるＲＳ２３２Ｃ）の一部が追加され、電文送出の際にフィルター（不具合電文の抽出）を設けたことである。このマイコン側でのフィルターによって、エラーでない正常な電文は送出されず、エラーと指示される電文のみが送出される。正常な電文とエラーの電文との両方が送られると、受信側（表示側）では正常か否かの判断が再度必要となりエラー電文の抽出に時間がかかる。そこで、マイコン側で正常な電文は送出しないことにすることで、表示側でのエラー電文の抽出時間が節約され、また不具合電文の解析を早期に行うことができて効率的になる。
【００２３】
図１は、本発明による無線検針装置に用いられるＵＡＲＴ回路部４８の詳細図である。マイクロコンピュータ部２１の通信用マイコンポートから、バッファ用ＩＣ（ＩＣ１００）を経由して、保護用の抵抗とダイオードが挿入されて、７ピンのコネクタに信号が接続されている。この７ピンのコネクタは、図２に示す無線親機６０の背面側に設置されていて（「ＵＡＲＴ」の表示のあるコネクタ参照）、極性付で誤挿入のない７ピンコネクタオスである。同じように、図３に示す無線子機の蓋を開けた内部に、同じコネクタが配置されている（「ＵＡＲＴ」の表示のあるコネクタ参照）。このコネクタの電圧レベルは、ＴＴＬ（トランジスタ・トランジスタロジック）レベルで出力されている。これは、ＴＴＬレベルで動作する専用の送受信機を接続した場合に、動作確認が可能である。「ＴＴＬレベル」は、マイコンがローレベル、或いはハイレベルと認識できる電圧の範囲のことである。ＲＳ２３２Ｃの入力レベルはこれよりも大きすぎて、マイコンが破損する可能性がある。マイコンの出力レベルはＲＳ２３２Ｃのレベルに比べて、＋側は低すぎて−側は高すぎるという実情がある。
【００２４】
汎用的な、ＲＳ２３２Ｃのレベルについては、図１の（２）に示すようなインターフェイスの回路、及びＤｓｕｂ９ピンオスのコネクタを接続することにより、確認用として接続される外部機器であるパソコン８０とのインターフェイスが構築できる。ＵＡＲＴ回路部４８における非同期通信のモデム用インターフェース（いわゆるＲＳ２３２Ｃ）の追加とは、このインターフェイス部分を指す。この専用のコネクタを追加することで、無線親機・子機共に消費電力を極小に設定した動作モードの待機中を除いて、通常の通信動作中はパソコン８０等の外部機器に信号を送受信することができる。
【００２５】
本無線検針装置において、無線親機と子機の動作状況を把握するための手段として用いられている、不具合信号のみの抽出のための構成を記す。図８のシーケンス図に示すように、無線親機及び子機は、各マイクロコンピュータ部において、受信信号に対して良否の判断を行い、通常の問題ない電文であればそのまま通過させる。不具合の電文は、ＵＡＲＴ回路部４８（図１、図６、図７参照）からパソコン８０等の外部機器に送出される。「問題ない電文」の例としては、交換機から親機に送信される電文の場合、無線ポートＩＤ＋検針値要求においＩＤが親機に登録されていたＩＤと合致した場合は、問題ない電文となる。また、「不具合の電文」の例としては、交換機から親機に送信される電文の場合、無線ポートＩＤ＋検針値要求においＩＤが親機に登録されていたＩＤと合致しないときには、ＩＤ不一致で不具合となる電文がある。不具合な電文としては、この外に、上述した状況表示の関連として挙げた事項を伴う電文が対象となる。即ち、ＩＤ不一致の電文、検針要求以外の電文であって定義されていない電文、ポート選択が間違っていて不一致な電文、検針データ応答のない電文、検針データ値が間違っている電文等の、定義されている電文と、それ以外にも、数字データにもかかわらず文字データ等が含まれている電文、無線送信したが、応答がない場合に無線送信ができない（他の無線で妨害）場合や、更には、終了電文がいつまでも送られてこないタイムアウトの場合などがある。マイコンが送受信動作時において、上述した電文送出の際のマイコン側で行われるフィルターが適用されて正常かエラーかを判断するので、外部機器に送出については、エラーでない正常な電文については送出せずに、エラーと指示される電文のみが送出される。エラーである電文はマイクロコンピュータ部においてフラグが立てられるが、このフラグは外部からは確認できないので、エラーのフラグ情報を外部に送信し、外部機器において状況判断がなされる。
【００２６】
全ての電文については、図９に示すように、数字とアルファベットの組み合わせによる複数桁の処理番号が定義されている。通常の受信電文は、処理種別、ポート番号、その他のデータ、ＮＣＵ管理情報、ＮＣＵ状態、ＮＣＵタイマー値、誤り訂正等で構成（図示せず）されている。この電文内容から、規定外（定義以外）の電文については、発生時刻と、電文処理種別、不具合内容をコード化して記憶部４１（記憶素子ＥＥＰＲＯＭ）に記憶しておく。
【００２７】
パソコン８０から無線親機に対してセンターと同じ電文を送信することによって、パソコン８０は、センターの代わりになって無線親機を動作させて、子機及びメータ等の動作を確認することができる。例えば、無線親機に誤った無線ポートのＩＤを送信すると、規定外電文であるので、無線親機は図８に示されるようにＩＤ不一致のコードをパソコン８０に送信する。メータに対する検針要求電文が誤っていると、規定外電文であるので、検針値要求電文エラーがパソコン８０に送信される。マイコンのデフォルトは不具合内容の電文送出のみであるが、制御電文を外部機器からマイコンに送信することで、全ての受信電文を外部機器に送信することもできる。上記の動作確認の一例を詳細に説明すると、図８に示されているように、親機が電話回線から受信する電文に「無線ポートＩＤ＋検針値要求」があるが、例えば、「ＩＤ不一致のコードを送信」について、親機に定義されたＩＤが１２３４５６７８９０１２３４である場合に、センター（交換機経由）からの電文内容のＩＤが１２３４５６７８９０１２１２と送られてきたときは、下２桁がＩＤ不一致となる。このとき、親機はＩＤ不一致を認識して、このエラーをパソコンに送信する。また、センターから、無線ポートＩＤが送られてきて、検針値要求電文がＡ１２３４であった場合、Ａ１２３４以外の電文を親機が受信した場合は、受信電文規定外のエラーとしての「検針値要求電文エラーを送信」であると認識して、このエラーを送信する。
【００２８】
外部機器としてノート型のパソコン８０等を接続することにより、通信中はこれらのデータが、記憶されると共に、ＵＡＲＴ回路４８の出力形態である直列送受信データとして外部機器に送信される。図１０には、これらの無線親機、子機のそれぞれの場合に、各不具合内容２件が表示例として示されている。無線親機、子機からは、テキストデータの羅列出力であるので、パソコン８０で、解釈しやすいように翻訳して表示される。図示のように、無線での通信時刻、処理種別及び不具合内容を項目別に表示することにより、何が問題で通信のどこがおかしいのか、作業者にとって一目瞭然となる。
【００２９】
本無線検針装置において、パソコン８０等からの制御信号により通信エラーの再現動作について説明する。有線電話部（図６に示す、回線用モジュラージャック２２から、宅内容モジュラージャック２６までの部分）は無線とは関係なく電話機に関する有線系の回路部であるが、この有線電話部の通信部分の確認としては、直列送受信データとして、例えば、定時検針時間を設定することによって、設定された時間で検針情報をセンターに通信させることができる。センターとの通信時に何かの不具合が発生するとＵＡＲＴ回路部４８にて出力されるので、これを監視することでエラーを確認することができる。通信時において、直列送受信データは不具合内容（即ち、エラーが発生した時間、発生内容コード、各種フラグの内容）のみであるので、正常なデータと混同することがなく、不具合内容を極めて早期に発見することができる。
【００３０】
設置場所の全てにおいて連続波で確認する、即ち、親機から連続して無線を送信して、子機側でその無線を受信して、ＲＳＳＩの値を確認することは時間的に労を多とする。一見して無線が到達することが判明すれば、デジタルデータの採用でデータの検出、整理が簡易になるので、連続波で確認する手間を省くことができる。本発明は、このような場合に特に有効である。オシロスコープや音声モニターでの確認は、市場名データ内容と、そうでないデータ内容が混在することになり、１ビット単位での間違いなどは、検出困難である。不具合内容が検出されると、パソコン８０等で、その内容に起因すると思われる制御電文を直列送受信データとしてマイコンに送信することにより、複数回にわたって通信状況を確認することができる。即ち、マイコンはＲＳＳＩの値をサンプリングして処理するので、おのずと平均化された値を出力する。実際の無線の測定には突発的に外部からノイズが入ってくる場合があり、アナログ機器であるとデータが凸凹になりやすいので、デジタルで平均化した方が安定した値となる。
【００３１】
次に、本無線検針装置において、外部機器による電圧レベル変換について説明する。無線親機と無線子機における電流の消費を押さえるため、或いは回路の簡素化と価格の上昇を抑制のために、図１の（１）及び（２）に示されるような構成が採用される。ＲＳ２３２Ｃのインターフェイス条件を変更し、なおかつ、ＲＳ２３２Ｃの通信機能を維持することができる。図１（２）の部分は、制御信号として常時必要としない部分である。この部分は、問題発生時、初期設定時、或いは取り替え時等において必要となる部分であり、無線親機、無線子機にとって常時必要としない回路部品であるが、分離した上で構成を変更することによって製品のコストダウンに繋がり、量産する場合には大きなウェートを占めることになる。
【００３２】
無線親機と無線子機に接続するノート型のパソコン８０等の外部機器は、図１（１）の信号ＲＳ２３２Ｃのレベルでなくて、いわゆるＴＴＬレベルである。特殊なパソコンであれば、ＴＴＬレベルでもＲＳ２３２Ｃの通信動作が可能（接続することで動作確認可能）である場合もあるが、汎用性を持たせるために、ＴＴＬレベルからＲＳ２３２Ｃレベルへの変換機能を図１の（２）の部分で持たせている。即ち、ＲＴＳからマイコン入力レベルを上回るレベルが入ってきても、Ｑ２００にてそのレベルは吸収されて、トランジスタのコレクタ出力はマイコンの入力レベルに合致したレベルを入力する。また、ＲＳ２３２Ｃドライバーは、通常待機状態（低消費電力での動作）にあるため、信号が入力されるまでに動作しない。そのため、別途トランジスタＱ２００による接続検知回路で外部信号が接続されたことを検知して、確実な動作を行なわせている。
【００３３】
次に、本無線検針装置において、電圧レベル変換に関して、レベル変換部におけるノイズの影響について説明する。図１においてその最右端に示す外部機器であるパソコン８０との接続に用いる接続コネクタの接続配線（ストレートケーブル）７０は、ノイズの影響が無視できる十分な長さ、例えば約１．５ｍ程度以上である。通常、ノート型のパソコン用に液晶画面表示があると、ここから無線ノイズが僅かではあるが放出されている。受信感度が高い無線親機と無線子機であるので、このノイズが無線親機・子機間の無線通信に影響が出る。配線経路と長さを考慮しておくと、パソコンのノイズを軽減することができ、値段の高いシールド線を使わずにすむメリットがある。また、誤挿入防止として、７極の極性付コネクタを用いている。
【００３４】
更に、本無線検針装置において、長期間のモニターについて説明する。図４に示すように、別途、この応用としてはＲＳ２３２Ｃのレベルが確保できるので、この先にＲＳ２３２ＣとＵＳＢとのインターフェイス回路（汎用的なＲＳ２３２Ｃ／ＵＳＢ変換回路及び電源回路）を追加することにより、一層汎用的な制御が実施可能となる。このインターフェイス回路に長期間の信号モニター機能としてＵＳＢメモリー９０を接続することにより、送受信信号の内容を長期間にわたって把握することができる。しかも、通信エラーが発生した場合には、メモリーに保存されたエラー信号の内容を解析することにより、電文エラーの発生が無線送受信側か、電話回線（有線）側か、それともセンター側であったのかの切り分けをすることができ、問題点解決を行うことができる。
【００３５】
図４において、ＳＷ２００は接続検知用スイッチである。この場合には、常時、接続検知が入力されているので、無線の雑音入力も検知可能とする。即ち、無線入力がなされても、正規のＩＤが読み取れない場合には、ＩＤ不一致としてカウントする。近傍にノイズが常時あれば、ノイズカウンタの役目もすることになるので、無線親機と子機とについて設置場所（電波法に基づき、ノイズのないところに設置する必要がある）として適当であるか否かの判断を行うことができる。また、通信内容の分析で、どのような通信不具合が多く発生しているかがわかるので、この内容に沿って通信時間の設定等を改善することによって、より信頼性を向上することができる。
【図面の簡単な説明】
【００３６】
【図１】本発明による無線検針装置のＵＡＲＴ（ＲＳ２３２Ｃ）回路部とパソコンとのインターフェイスを示す図である。
【図２】本発明の無線親機の外観で、ＵＡＲＴ回路部を示す図である。
【図３】本発明の無線子機の外観で、ＵＡＲＴ回路部を示す図である。
【図４】本発明による無線検針装置のＵＡＲＴ（ＲＳ２３２Ｃ）回路部とＵＳＢメモリーとのインターフェイスを示す図である。
【図５】本発明による無線検針装置のシステム図である。
【図６】本発明による無線検針装置の端末網制御装置兼、無線親機のブロック図である。
【図７】本発明による無線子機のブロック図である。
【図８】本発明による５ビット系ポート（プロパンガス用メータ）に対する通信例を示す図である。
【図９】電文の処理番号例を示す図である。
【図１０】不具合電文の表示例を示す図である。
【図１１】従来の自動検針用装置のシステム図である。
【図１２】従来品の５ビット系ポート（プロパンガス用メータ）に対する通信例を示す図である。
【符号の説明】
【００３７】
１：ホスト装置                        ２：センター側網制御装置
３：センター側交換局                  ４：端末側交換局
５：ノーリンギングトランク            ６：端末網制御装置兼、無線親機
７：ＬＰガスメータ                    ８：都市ガスメータ
９：水道メータ                      １０：電力メータ
１１：セキュリティ機器                １２：宅内電話機
１３：電話回線                        １４：無線子機１
１５：無線子機２                      １６：無線子機Ｎ
１８：アンテナ                        １９：無線モジュール部
２０：無線制御回路部                  ２１：マイクロコンピュータ部
２２：回線用モジュラージャック        ２３：耐雷回路部
２４：オフフック検知部                ２５：極反検知部
２６：宅内用モジュラージャック        ２７：宅内電話機話中検知部
２８：プレリンガー検知部              ２９：ループ回路部
３０：ＮＲＳ検知回路部                ３１：半ループ回路部
３２：モデム回路部                    ３３：ＤＣ／ＤＣ電源回路部
３４：電源スイッチ部                  ３５：電池
３６：電源回路部                      ３７：停電検知部
３８：ＡＣアダプタ部                  ３９：ＬＥＤ部
４０：表示回路部                      ４１：記憶（ＥＥＰＲＯＭ）部
４２：セキュリティインターフェイス部  ４３：リセット回路部
４４：電源オフ部                      ４５：電池電圧検知部
４６：縁組回路部                      ４７：ＲＳＳＩ回路部
４８：ＵＡＲＴ回路部                  ４９：メータ・接点インターフェイス部
５３：タイマー部                      ５４：保守発呼回路部
６０：無線親機
７０：接続配線（ストレートケーブル）
８０：パソコン（外部機器）
９０：ＵＳＢメモリー
ＳＷ１００：接続検知スイッチ
Ｑ２００、Ｒ２００、Ｒ２０１：接続検知トランジスタ
Ｄ１００〜Ｄ１０７、Ｄ２００：保護用ダイオード
ＲＰ１、ＲＰ２：保護用抵抗
【図１】
2008148045.tif 000003
【図２】
2008148045.tif 000004
【図３】
2008148045.tif 000005
【図４】
2008148045.tif 000006
【図５】
2008148045.tif 000007
【図６】
2008148045.tif 000008
【図７】
2008148045.tif 000009
【図８】
2008148045.tif 000010
【図９】
2008148045.tif 000011
【図１０】
2008148045.tif 000012
【図１１】
2008148045.tif 000013
【図１２】
2008148045.tif 000014